(57)【要約】【課題】情報蓄積型の放送サービスにおいて、記録した情報の欠陥を低減する一方で、伝送容量（帯域）の消費を少なくした情報蓄積型の放送サービスを提供することを目的とする。【解決手段】第１の時間帯に第１の放送番組をＮ個連続して送信し、第２の時間帯に第２の放送番組をＭ個連続して送信する送信手段を備え、第１の時間帯に送信される第１のデータパケットの連続パケット数Ｎは第２の時間帯に送信される第２のデータパケットの連続パケット数Ｍより多くなるようにする。【選択図】  図３
2011244268.tif 000002
【特許請求の範囲】
【請求項１】
第１の時間帯に第１の放送番組のデータをＮ個繰り返して放送し、第２の時間帯に第２の放送番組のデータをＭ個繰り返して放送する放送手段を備え、前記第１の時間帯に放送される第１のデータの繰り返し数Ｎは前記第２の時間帯に放送される第２のデータの繰り返し数Ｍより多いことを特徴とする放送装置。
【請求項２】
前記第１の放送番組のデータ１つの情報量は前記第２の放送番組のデータ１つの情報量より少ないことを特徴とする請求項１に記載の放送装置。
【請求項３】
第１の時間帯に第１の放送番組のデータを第１のデータストリームでＮ個、第３の放送番組のデータを第２のデータストリームでＬ個繰り返して放送し、第２の時間帯に第２の放送番組のデータを第１または第２のデータストリームでＭ個繰り返して放送する放送手段を備え、前記繰り返し数Ｎは前記繰り返し数Ｌより少なく、前記繰り返し数Ｍより多いことを特徴とする放送装置。
【請求項４】
前記第１の放送番組のデータ１つの情報量は前記第３の放送番組のデータ１つの情報量より多く、前記第２の放送番組のデータの情報量より少ないことを特徴とする請求項３に記載の放送装置。
【請求項５】
前記第１の時間帯は昼を含み、前記第２の時間帯は夜を含むことを特徴とする請求項１乃至４に記載の放送装置。
【請求項６】
第１の時間帯に送信されたＮ個繰り返した第１の放送番組のデータを受信し、第２の時間帯に送信されたＭ個繰り返した第２の放送番組のデータを受信する受信手段を備え、前記第１の放送番組のデータの繰り返し数Ｎは前記第２の放送番組のデータの繰り返し数Ｍより多いことを特徴とする放送受信装置。
【請求項７】
前記第１の放送番組のデータ１つの情報量は前記第２の放送番組のデータ１つの情報量より少ないことを特徴とする請求項６に記載の放送受信装置。
【請求項８】
第１の時間帯に送信されたＮ個繰り返した第１の放送番組のデータおよびＬ個繰り返した第３の放送番組のデータを受信し、第２の時間帯に送信されたＭ個繰り返した第２の放送番組のデータを受信する受信手段を備え、前記連繰り返しＮは前記繰り返し数Ｌより少なく、前記繰り返し数Ｍより多いことを特徴とする放送受信装置。
【請求項９】
前記第１の放送番組のデータ１つの情報量は前記第３の放送番組のデータ１つの情報量より多く、前記第２の放送番組のデータ１つの情報量より少ないことを特徴とする請求項８に記載の放送受信装置。
【請求項１０】
前記第１の時間帯は昼を含み、前記第２の時間帯は夜を含むことを特徴とする請求項６乃至９に記載の放送受信装置。
【請求項１１】
少なくとも前記第１の放送番組のデータのデータ蓄積完了を検出するデータ蓄積検出手段と、
前記放送受信装置の電源使用を低減する電源低減手段をさらに備え、前記第１の放送番組のデータのデータ蓄積完了が検出された場合は、前記放送受信装置の使用電源を低減することを特徴とする請求項６乃至１０に記載の放送受信装置。
【請求項１２】
前記第２の放送番組のデータは、誤り訂正符号を含むことを特徴とする請求項６乃至１１に記載の放送受信装置。
【請求項１３】
第１の時間帯に第１の放送番組をＮ個繰り返して送信し、第２の時間帯に第２の放送番組をＭ個繰り返して送信するステップを備え、前記第１の時間帯に送信される第１のデータの繰り返し数Ｎは前記第２の時間帯に送信される第２のデータの繰り返し数Ｍより多いことを特徴とする放送受信方法。
【請求項１４】
第１の時間帯に送信された第１の放送番組をＮ個繰り返した第１のデータを受信し、第２の時間帯に送信されたＭ個繰り返した第２のデータを受信するステップを備え、前記第１のデータの繰り返し数Ｎは前記第２のデータの繰り返し数Ｍより多いことを特徴とする放送受信方法。
【請求項１５】
少なくとも前記第１の放送番組のデータのデータ蓄積完了を検出するステップと、
前記放送受信装置の電源使用を低減するステップをさらに備え、前記第１の放送番組のデータのデータ蓄積完了が検出された場合は、前記放送受信装置の使用電源を低減することを特徴とする請求項１４に記載の放送受信方法。
【発明の詳細な説明】
【技術分野】
【０００１】
本発明の実施形態は、放送で送信されたコンテンツデータのデータを補完する放送補完方式に関する。
【背景技術】
【０００２】
近年、情報蓄積型の放送サービス（ファイルキャスティング方式による放送サービス）の提供が予定されている。
情報蓄積型の放送サービスは、配信されるコンテンツデータやメタデータを放送受信装置が管理する記憶媒体に記録（蓄積）させ、記録させたコンテンツデータを後で再生することを許可する放送サービスである。
【０００３】
例えば日本では、携帯端末向けマルチメディア放送（以下、マルチメディア放送）と称される放送形態において、主として情報蓄積型の放送サービスの提供が予定されている。マルチメディア放送で想定されている受信機（携帯端末）は、例えば携帯電話やモバイルPC、PDA（Personal Digital Assistant）などの携帯機器に、そのマルチメディア放送受信機能が内蔵される形態である。
【０００４】
このような情報蓄積型の放送サービスにおいて、受信または記録したコンテンツに欠陥箇所が存在する場合には、このコンテンツの再生において支障が生じることがある。
【０００５】
従来は、記録された情報の欠陥をなるべく少なくするために、エラー訂正方式によって伝送エラーの耐性を持たせた伝送方法を利用したり、あるいは同一コンテンツを複数回再送したりといった方法が考えられている。
【０００６】
しかし、エラー訂正方式によって伝送エラーの耐性を持たせたり、あるいは同一コンテンツを複数回再送したりといった方法では、同じコンテンツを伝送するために使用する伝送容量（帯域）を多く消費することとなり、提供できるコンテンツの数が減るなどのデメリットがある。
【先行技術文献】
【特許文献】
【０００７】
【特許文献１】特開2007-166674号公報
【発明の概要】
【発明が解決しようとする課題】
【０００８】
上記のように、エラー訂正方式等においては、伝送容量（帯域）を多く消費し、提供できるコンテンツの数が減るなどのデメリットが予想される。そこでこの発明の実施の形態においては、情報蓄積型の放送サービスにおいて、記録した情報の欠陥を低減する一方で、伝送容量（帯域）の消費を少なくした情報蓄積型の放送サービスを提供することを目的とする。
【課題を解決するための手段】
【０００９】
実施形態によれば、第１の放送番組および第２の放送番組に係るデータを放送する放送手段を備え、第１の時間帯に前記第１の放送番組をＮ個繰り返して放送し、第２の時間帯に前記第２の放送番組をＭ個繰り返して放送する。前記第１の時間帯に放送される第１の放送番組数Ｎは前記第２の時間帯に放送される第２の放送番組数Ｍより多くなるようにする。
【図面の簡単な説明】
【００１０】
【図１】実施形態に係わるファイルキャスティング方式を用いた放送装置を示すブロック図。
【図２】実施形態に係わるファイルキャスティング方式を用いた放送受信装置を示すブロック図。
【図３】実施形態に係わるファイルキャスティング方式を用いた放送方法を説明する図に係り、放送されるファイル（番組郡）を複数のグループに分け、ファイルキャスティングする時間帯も複数の時間帯に分け、ある時間帯に割りあてられたグループの再送回数と、別の時間帯に割りあてられたグループの再送回数とを変える方式の説明図。
【図４】実施形態に係わるファイルキャスティング方式を用いた放送方法を説明する図に係り、ある時間帯に割りあてられたグループの誤り訂正符号の符号化率と、別の時間帯に割りあてられたグループの誤り訂正符号の符号化率とを変える方式の説明図。
【図５】実施形態に係わるファイルキャスティング方式を用いた放送方法を説明する図に係り、ある時間帯に割りあてられたグループの再送回数と、別の時間帯に割りあてられたグループの再送回数を変える方式であって、伝送チャンネル１と伝送チャンネル２で伝送する番組郡の再送回数を変える方式の説明図。
【図６】実施形態に係わるファイルキャスティング方式を用いた放送方法を説明する図に係り、特定の時間帯（昼）において、蓄積状況を検知し、蓄積済であるグループの再送時間帯は電源をオフする方式の説明図。
【発明を実施するための形態】
【００１１】
以下、図面を参照し、この発明の実施形態を説明する。
＜実施例１＞
図１は、実施形態に係わるファイルキャスティング方式を用いた放送装置を示すブロック図である。
符号１１は放送送信装置（コンテンツ送信機器）である。ここでは、この実施の形態で説明するマルチメディア放送サービスで放送局側となる、コンテンツ送信機器１１の一例を示している。
【００１２】
符号１２はリアルタイム型放送サービス用のコンテンツの入力端子、符号１３はＭＰＥＧエンコーダ、符号１５はＴＳ化処理部、符号１６は暗号化処理部、符号１７はＴＳ多重化部、符号１８は入力端子、符号１９は暗号化処理部、符号２０はコンテンツ処理部、符号２１はＴＳ化処理部、符号２２はＥＰＧデータ生成部、符号２３はＴＳ化処理部、符号２４は伝送路符号化部、符号２５は出力端子である。
【００１３】
符号２６はアンテナ、符号２７は出力端子、符号２８はネットワークサーバ（放送補完サーバ）、符号２９は入力端子、符号３０はコンテンツ記録機器（ＨＤＤ）、符号３０ａはハードディスク、符号３１はネットワークインターフェース、符号３２は入出力端子、符号３３はネットワークである。
【００１４】
このコンテンツ送信機器１１は、リアルタイム型放送サービス用のコンテンツ（放送番組）が入力される、入力端子１２を備えている（マルチメディア放送サービスでは、ファイルキャスティング方式による放送サービスのほかに、受信機にコンテンツを蓄積することなくリアルタイムでコンテンツを楽しむリアルタイム型放送サービスも予定されている）。
【００１５】
この入力端子１２に入力されたコンテンツは、ＭＰＥＧ（moving picture experts group）エンコーダ１３により圧縮処理が施され、ＰＥＳ（packetized elementary stream）／セクション化処理部１４によりＰＥＳ化処理／セクション化処理が施される。
【００１６】
そして、ＴＳ（transport tsream）化処理部１５によりＴＳ化処理が施され、暗号化処理部１６により暗号化処理が施され、その後、ＴＳ多重化部１７に供給される。
【００１７】
また、上記コンテンツ送信機器１１は、蓄積型放送サービス（ファイルキャスティング方式による放送サービス）用のコンテンツが入力される入力端子１８を備えている。
【００１８】
この蓄積型放送サービスは、後述する受信側の機器に自動蓄積させるコンテンツを放送により送信し、受信側の機器で自動蓄積されたコンテンツを所定のタイミングで視聴するサービスである。
【００１９】
これにより、情報蓄積型の放送サービス（ファイルキャスティング方式による放送サービス）が実現可能となる。
そして、この入力端子１８に入力されたコンテンツは、予めＭＰＥＧ圧縮処理等のエンコード処理が施され、さらにＰＥＳ化処理／セクション化処理が施されている。なお、前記エンコード処理に関しては映像コンテンツ、音声コンテンツ、ゲーム等のデータコンテンツ、新聞雑誌等の文字と写真の混合コンテンツなど種々のコンテンツに応じたものとする。
【００２０】
コンテンツは暗号化処理部１９により暗号化処理が施され、コンテンツ処理部２０によりＦＬＵＴＥ処理、ＩＰ（internet protocol）パケット化／ヘッダ圧縮（ＲＯＨＣ）処理、カプセル化（ＵＬＥ）処理等が施される。
【００２１】
さらに、ＴＳ化処理部２１によりＴＳ化処理が施された後、上記ＴＳ多重化部１７に供給される。
また、上記コンテンツ送信機器１１は、ＥＰＧ（electronic program guide）データ生成部２２を備えている。
このＥＰＧデータ生成部２２は、リアルタイム型放送サービス用のコンテンツに対する配信予定表である電子番組表を作成するためのＳＩ（service information）やＰＳＩ（program specific information）等の番組配列情報を生成している。
【００２２】
なお、情報蓄積型の放送サービス用のコンテンツに対する配信スケジュール（後述する繰り返し配信スケジュール）を作成するためにも使用されるＳＩ（service information）やＰＳＩ（program specific information）等の番組配列情報を生成している。もしくは情報蓄積型の放送サービス用のコンテンツに対する配信予定表（後述する繰り返し予定表）は、ＳＩやＰＳＩではなくメタデータとして放送で配信される場合もある。あるいは、ＳＩやＰＳＩやメタデータがネットワークで配信される場合もある。
【００２３】
そして、このＥＰＧデータ生成部２２で生成された番組配列情報は、ＴＳ化処理部２３によりＴＳ化処理が施された後、上記ＴＳ多重化部１７に供給される。
上記ＴＳ多重化部１７では、各ＴＳ化処理部２１、２３および暗号化処理部１６から出力されたＴＳを多重化している。
このＴＳ多重化部１７で多重化されたＴＳは、伝送路符号化部２４により伝送路に対応した符号化処理が施され、その後、出力端子２５を介してアンテナ２６に供給され、送信される。
【００２４】
また、上記暗号化処理部１９により暗号化処理が施された蓄積型放送サービス用のコンテンツは、出力端子２７を介してネットワークサーバ２８（放送補完サーバ）の入力端子２９にも供給される。
【００２５】
このネットワークサーバ２８は、入力端子２９に供給されたコンテンツを、記録機器であるＨＤＤ（hard disk drive）３０に供給して、ハードディスク３０ａに記録させる。
【００２６】
このＨＤＤ３０は、ネットワークインターフェース３１及び入出力端子３２を介して、例えばインターネット等のネットワーク３３に接続されている。
そして、このＨＤＤ３０は、ネットワーク３３から入出力端子３２及びネットワークインターフェース３１を介して受信機からのコンテンツの取得要求を受信すると、要求されたコンテンツの全部もしくは一部をハードディスク３０ａから読み出し、ネットワークインターフェース３１及び入出力端子３２を介してネットワーク３３に送信する。
【００２７】
これにより、補完データを通信路により取得するサービス（放送補完方式）が実現可能となる。
また、上記ＥＰＧデータ生成部２２では、リアルタイム型放送サービス用のコンテンツに対する電子番組表のほか、ファイルキャスティング方式による放送サービスの配信スケジュールに関する情報も提供される。
【００２８】
図２は、実施形態に係わるファイルキャスティング方式を用いた放送受信装置を示すブロック図である。
符号３４は放送受信装置（コンテンツ受信機器）である。ここでは、マルチメディア放送サービスで受信側となる放送受信装置（コンテンツ受信機器）３４の一例を示している。
【００２９】
符号３５はアンテナ、符号３６は入力端子、符号３７は選局復調部、符号３８はＴＳ分離部、符号３９は復号化処理部、符号４０はＰＥＳ／セクション分離部、符号４１はＭＰＥＧデコーダ、符号４２は選択多重化部である。
【００３０】
また、符号４３は番組表作成部である。
また、符号４４はコンテンツ復号化部、符号４５はＨＤＤ、符号４５ａはハードディスク、符号４６は復号化処理部、符号４７はデコーダである。
符号４８は映像表示部、符号４９はスピーカである。
符号５０は制御部、符号５０ａはＣＰＵ、符号５０ｂはメモリ部、符号５１は操作部、符号５２は通信制御部、符号５３はネットワークインターフェース、符号５４は入出力端子である。
【００３１】
アンテナ３５で受信されたデジタル放送信号は、入力端子３６を介して選局復調部３７に供給される。
この選局復調部３７は、入力された放送信号から所望のチャンネルの放送信号を選局し、その選局した放送信号に復調処理を施すことによりＴＳを復調する。
この選局復調部３７から出力されたＴＳは、ＴＳ分離部３８に供給されて、リアルタイム型放送サービス用のコンテンツに対応するＴＳと、蓄積型放送サービス用のコンテンツに対応するＴＳと、上記ＥＰＧデータ生成部２２で生成された番組配列情報に対応するＴＳとに分離される。
【００３２】
このうち、リアルタイム型放送サービス用のコンテンツに対応するＴＳは、復号化処理部３９により暗号の復号化処理が施され、ＰＥＳ／セクション分離部４０により映像及び音声別のＰＥＳ化／セクション化されたコンテンツに分離され、ＭＰＥＧデコーダ４１により映像及び音声の各コンテンツに対して伸張処理が施された後、選択多重化部４２に供給される。
【００３３】
また、上記ＴＳ分離部３８で分離された番組配列情報に対応するＴＳは、番組表作成部４３に供給されて、電子番組表を表示させるためのＯＳＤ（on screen display）用のコンテンツの作成に供される。
【００３４】
そして、この番組表作成部４３で作成された電子番組表に対応するＯＳＤ用のコンテンツは、上記選択多重化部４２に供給される。
さらに、上記ＴＳ分離部３８で分離された蓄積型放送サービス用のコンテンツに対応するＴＳは、コンテンツ復号化部４４によりカプセル化（ＵＬＥ）復号処理、ＩＰパケット化／ヘッダ圧縮（ＲＯＨＣ）復号処理、ＦＬＵＴＥ復号処理等が施された後、ＨＤＤ４５によりハードディスク４５ａに記録（蓄積）される。
【００３５】
また、このＨＤＤ４５によりハードディスク４５ａから読み出されたコンテンツは、復号化処理部４６により暗号の復号化処理が施され、デコーダ４７により映像及び音声などの各コンテンツに応じデコードされた後、上記選択多重化部４２に供給される。
【００３６】
そして、上記選択多重化部４２は、上記ＭＰＥＧデコーダ４１、番組表作成部４３及びデコーダ４７から供給される映像用のコンテンツを、選択的に、または、例えばマルチ画面表示用に多重化し、映像表示部４８に出力して映像表示させている。
【００３７】
また、この選択多重化部４２は、上記ＭＰＥＧデコーダ４１及びデコーダ４７から供給される音声用のコンテンツを、選択的にスピーカ４９に出力して音声再生させている。
【００３８】
ここでは、この放送受信装置（コンテンツ受信機器）３４は、上記した各種の受信動作及び記録再生動作を含むその全ての動作が制御部５０により、制御されている。
【００３９】
この制御部５０は、ＣＰＵ（central processing unit）５０ａを内蔵しており、図示しないユーザ操作によって操作部５１から送出される操作情報を受け、その操作内容が反映されるように、それぞれ各部を制御している。
【００４０】
この場合、制御部５０は、メモリ部５０ｂを利用している。
このメモリ部５０ｂは、主として、ＣＰＵ５０ａが実行する制御プログラムを格納したＲＯＭ（read only memory）と、該ＣＰＵ５０ａに作業エリアを提供するためのＲＡＭ（random access memory）と、各種の設定情報及び制御情報等が格納される不揮発性メモリとを有している。
【００４１】
また、上記制御部５０は、通信制御部５２を介して、上記ネットワークサーバ２８のＨＤＤ３０に所望の補完データの取得要求を発生することができる。
すなわち、この通信制御部５２は、ネットワークインターフェース５３、入出力端子５４、ネットワーク３３、ネットワークサーバ２８の入出力端子３２及びネットワークインターフェース３１を介して、ＨＤＤ３０に所望の補完データの取得要求を発生している。
【００４２】
そして、この通信制御部５２は、コンテンツの取得要求に基づいてＨＤＤ３０がハードディスク３０ａから読み取ったコンテンツを、ネットワークインターフェース３１、入出力端子３２、ネットワーク３３、入出力端子５４及びネットワークインターフェース５３を介して取得し、ＨＤＤ４５によりハードディスク４５ａに記録させる。
【００４３】
これにより、ユーザは、放送番組やデータ放送等の各種コンテンツをリアルタイムで視聴するリアルタイム型放送サービスだけでなく、蓄積用に送信されＨＤＤ４５に蓄積された各種のコンテンツを任意のタイミングで視聴するサービスや、必要なコンテンツを任意のタイミングでネットワークサーバ２８から取得して視聴するサービスを享受することができるようになるほか、蓄積型放送サービス用のコンテンツとしてＨＤＤ４５によりハードディスク４５ａに記録したコンテンツの欠陥したデータを、ネットワークサーバ２８から補完データとして取得し、ＨＤＤ４５に蓄積された各種のコンテンツを補完しサービスを享受することができるようになる。
【００４４】
図３は、実施形態に係わるファイルキャスティング方式を用いた放送方法を説明する図に係り、放送されるファイル（番組郡）を複数のグループに分け、ファイルキャスティングする時間帯も複数の時間帯に分け、ある時間帯に割りあてられたグループの再送回数と、別の時間帯に割りあてられたグループの再送回数とを変える方式の説明図である。
【００４５】
図３に示すように、ここでは朝9時から夜21時までを昼配信時間帯とする。携帯端末向けマルチメディア放送では、ユーザが放送受信機（携帯端末）を携帯し、移動しながら放送を受信するケースを想定している。従って昼配信時間帯は、一般に、ユーザの移動に伴い、マルチメディア放送の受信機（携帯端末）もユーザとともに移動している可能性が高いことが想定される。
【００４６】
すなわち、ユーザは、昼は移動が多く、乗り物内にいたり、ビル内や電波状態の悪い場所にいたりして、安定受信できないことが多く想定される。
一方、夜21時から翌朝9時までを夜配信時間帯とする。夜配信時間帯は、一般に、昼に比べユーザの移動が少なく、受信機器の移動も少ない可能性が高いことが想定される。
【００４７】
すなわち、夜は、ユーザが放送受信機を、家の中の電源供給（機器の充電等）と受信機内蔵のアンテナとは別のアンテナによる放送電波の供給が可能なジャケット（付属装置）に挿しておくことができ、マルチメディア放送を安定に受信できるため、情報蓄積型の放送方式（ファイルキャスティング方式）は好適である。あるいはジャケット（付属装置）に挿さなくても、放送受信機（携帯端末）を、窓際などマルチメディア放送を安定に受信できる場所に置くなどすることも可能となる。
【００４８】
このような特徴のある携帯端末向けマルチメディア放送において、図３に示すように、ある所定の放送の伝送チャンネルを使用し、上記のように、昼番組のデータとして、昼配信番組郡（マルチメディア放送として提供されるコンテンツ、サービスは、現在のＴＶサービスの主流である映像コンテンツのほか、新聞等のテキストや写真を主体としたコンテンツ、ゲーム等のデータコンテンツなど種々のサービスが提供されることが考えられているため番組郡と記載する）を9時から21時までの12時間に配信する。ここでは、その再送回数は４回である。
【００４９】
また同様に、夜番組のデータとして、夜配信番組郡（昼配信番組郡と同様、複数のコンテンツ郡）を21時から翌朝9時までの12時間に配信する。ここでは、その再送回数は２回とした例である。
【００５０】
このように構成すると、ある放送の伝送チャンネルの伝送容量（帯域）を一定とした場合に、昼配信番組郡の再送回数を４回、夜配信番組郡の再送回数を２回とした場合、夜配信番組郡で伝送可能なコンテンツ（番組）の総量は、昼配信番組郡で伝送可能なコンテンツ（番組）の2倍となり、より多くのコンテンツを提供することが可能となる。
【００５１】
一方、上記のように、昼配信番組郡においては、ユーザの行動パタンにあわせて、その番組郡の再送回数を夜配信番組郡より多くすることにより、蓄積漏れ防止や情報の欠陥記録を低減させることが可能となる。
【００５２】
夜は昼に比べて放送受信機（携帯端末）の移動が少ないことが想定され、家庭用電源等からによる電源供給とアンテナによる放送電波の供給が可能なジャケット（付属装置）に挿しておくこと等、放送を安定に受信できることが可能と想定されるため、夜配信番組郡においては、昼よりも少ない再送回数で、より多くのコンテンツ（番組）を、蓄積漏れや情報の欠陥なく送信し、機器での記録が可能となる。
【００５３】
すなわち、昼の時間帯に放送される番組郡の数Ｎ（ここでは４）は、夜の時間帯に放送される番組郡の数Ｍ（ここでは２）より多い。また、昼の時間帯に放送される番組郡の総データ量を小さくし、夜の時間帯よりも再送回数を夜配信番組郡より多くすることが可能である。これにより、昼は移動が多い（安定受信できない）が、蓄積漏れを防止するために好適である。
【００５４】
この実施の形態は、ファイルキャスティングされるファイルを複数のグループに分け、ファイルキャスティングする時間帯も複数の時間帯に分け、前記グループと前記時間帯とを対応させ、ある時間帯に割りあてられたグループの再送回数と、別の時間帯に割りあてられたグループの再送回数とを変えるようにしている。
【００５５】
なお、この実施の形態における再送回数の開示は例示であり、時間帯によって適宜変更することが望ましい。また時間帯を9時と21時で区切っているが、ユーザの行動パタンにあわせて、適切な時間とすることが望ましい。さらに間帯は2つに分ける例をしめしたが、ユーザの行動パタンにあわせて、より細かく、3以上（例えば３つならば、移動するユーザの行動パタンがよく移動する、時々移動する、移動しない、に分類できる場合）に分ける場合であっても良い。
【００５６】
このように構成することで、情報蓄積型の放送サービスにおいて、記録媒体に記録した情報の欠陥を低減しつつ、伝送容量（帯域）の消費抑えた情報蓄積型の放送サービスを提供することが可能である。
【００５７】
図４は、実施形態に係わるファイルキャスティング方式を用いた放送方法を説明する図に係り、ある時間帯に割りあてられたグループの誤り訂正符号の符号化率と、別の時間帯に割りあてられたグループの誤り訂正符号の符号化率とを変える方式の説明図である。
【００５８】
情報蓄積型の放送サービスにおいては、番組データの送受信を誤り訂正符号の送受信に応用することも可能である。
ここでは、ある放送の伝送チャンネルを使用して、昼配信番組郡を9時から21時までの間に配信する。その誤り訂正符号の符号化率は例えば伝送容量（帯域）の１／２を訂正符号とする。
【００５９】
また、夜配信番組郡を21時から翌朝9時までの間に配信する。その訂正符号の符号化率は０、すなわち訂正符号無しとした例である。
図４に示すように、ある放送の伝送チャンネルの伝送容量（帯域）を一定とした場合に、符号化率の高い夜配信番組郡で伝送可能なコンテンツ（番組）自体の総量は、昼配信番組郡で伝送可能なコンテンツ（番組）の2倍となり、より多くのコンテンツを提供することが可能となる。
【００６０】
このように構成することで、上記と同様、昼はユーザの移動が多いことが想定されるが、昼配信番組郡に強い誤り訂正符号を適用することにより、蓄積漏れ防止や情報の欠陥を低減して記録機器へ記録可能とすることが可能である。
【００６１】
また、夜配信番組郡では、昼より弱い誤り訂正符号で、多くのコンテンツ（番組）を蓄積漏れや情報の欠陥を低減した情報記録が可能となる。
この実施の形態においても、訂正符号の符号化率は例示であり、時間帯によって変更することが可能である。
また、図３、図４の実施の形態においては、番組の再送回数が少ない、もしくは訂正符号の弱い特定の時間帯（夜）において、受信機における受信エラー（受信感度）を検知し、受信エラーが多い場合に、警告をすることも可能である。
【００６２】
この特定の時間帯（夜）であるかどうかは、放送局から放送信号とともに提供されるものとする。また、警告は、例えば音、光、バイブレーションなど、携帯電話やモバイルPC、PDAなどの携帯機器に搭載されている機能を利用してユーザに知らしめるものとする。これにより、ユーザは警告によって受信エラーが多いことを認識でき、その場合に、放送受信機（携帯端末）を窓際など、マルチメディア放送を、安定に受信できる場所に置き直す等することが可能となり、再送回数の少ない、もしくは訂正符号の弱い夜配信番組郡の蓄積漏れを防止することが可能となる
【００６３】
あるいは特定の時間帯（夜）であるかどうかは、放送局から放送信号とともに提供されない場合においては、番組郡の再送回数、もしくは訂正符号の符号化率を受信機で検知し、再送回数が所定の数値より少ない場合、もしくは訂正符号の符号化率が所定の数値より高い（訂正符号の弱い）場合に特定の時間帯（夜）であるとしても良い。この所定の数値はユーザが設定しても良いし、放送局から放送信号とともに提供されても良い。
【００６４】
このように構成することで、情報蓄積型の放送サービスにおいて、昼夜といった時間的に変わるユーザの行動特性を考慮することで記録した情報の欠陥を低減しつつ、伝送容量（帯域）の消費を抑えた情報蓄積型の放送サービスを提供することが可能である。
【００６５】
図５は、実施形態に係わるファイルキャスティング方式を用いた放送方法を説明する図に係り、ある時間帯に割りあてられたグループの再送回数と、別の時間帯に割りあてられたグループの再送回数を変える方式であって、伝送チャンネル１と伝送チャンネル２で伝送する番組郡の再送回数を変える方式の説明図である。
【００６６】
図３、４の説明では、番組郡の送信において、１つの伝送チャンネルを用いる例を説明したが、図５の実施の形態は、複数の伝送チャンネルに適用することが可能である。
【００６７】
例えば、ニュース等の即時性の高い番組（コンテンツ）は、番組をなるべく早く、視聴者へ提供（すなわちなるべく早く蓄積）することが要求されるが、図５の実施の形態においては、これが可能である。
【００６８】
すなわち、ここでは、伝送チャンネル１については図３の例と同様に構成しているが、伝送チャンネル２については昼配信番組郡２、昼配信番組郡３をよりデータ量の少ない（たとえば図５では１／２程度）番組郡とし、その再送周期を上げ、頻繁となるようにしている。
【００６９】
このようにすることで、昼配信番組郡２、昼配信番組郡３はなるべく早く、番組の蓄積をする（完了とする）ことができる。
そして、ユーザに配信開始からなるべく早く、番組の提供を可能とすることができる。
すなわちここでは、伝送チャンネル１に比べ、伝送チャンネル２で放送する番組をよりデータ量の少ない（たとえば図では１／２程度）番組郡とすることで、即時性の高いコンテンツを提供することが可能になる。
【００７０】
すなわち、この実施の形態は、特定の時間帯をさらに細分化し、再送周期を変える（上げる）ことを行っている。
これによって、即時性の高いコンテンツはなるべく早く蓄積完了となる。
なおここでは、番組データ再送の例を用いたが、この実施の形態は、図４のように誤り訂正符号の符号化率を変える方法に適用することも可能である。
図６は、実施形態に係わるファイルキャスティング方式を用いた放送方法を説明する図に係り、特定の時間帯（昼）において、蓄積状況を検知し、蓄積済であるグループの再送時間帯は電源をオフする方式の説明図である。
【００７１】
図３と同様に、この実施の形態は、実施形態に係わるファイルキャスティング方式を用いた放送方法を説明する図に係り、放送されるファイル（番組郡）を複数のグループに分け、ファイルキャスティングする時間帯も複数の時間帯に分け、ある時間帯に割りあてられたグループの再送回数と、別の時間帯に割りあてられたグループの再送回数とを変える方式である。
【００７２】
ここでも朝9時から夜21時までを昼配信時間帯とする。また、夜21時から翌朝9時までを夜配信時間帯とする。
そして、ある所定の放送の伝送チャンネルを使用し、昼配信番組郡（複数のデータパケットが連続したグループ）を9時から21時までの間に配信する。ここでは、その再送回数は４回である。
【００７３】
また同様に、夜配信番組郡（複数のデータパケットが連続したグループ）を21時から翌朝9時までの間に配信する。その再送回数は２回とした例である。
ここでは、図に示すように、特定の時間帯（昼）において、受信機は蓄積状況を検知する。そして、蓄積済であることが検知されたグループについては、対応する再送時間帯は、放送受信装置（コンテンツ受信機器）３４の使用電源を低減するように、例えば電源をオフにする。なお放送受信装置（コンテンツ受信機器）３４は、携帯電話やモバイルPC、PDAなどの携帯機器に搭載される想定であり、放送受信装置（コンテンツ受信機器）３４の使用電源の低減とは、少なくとも放送受信にかかる機能ブロック部分に対するものであり、携帯電話機能、モバイルPC機能、PDA機能部分に関する電源供給に関しては対象外である。
【００７４】
これにより、番組の蓄積漏れを防止しながら、放送受信装置（コンテンツ受信機器）３４に接続されるバッテリー等の電力消費を抑えることが可能になる。
また、バッテリーの蓄積電力が少ない場合に、蓄積を停止あるいは警告を出すように構成することも可能である。
すなわち、この実施の形態においては、特定の時間帯（昼）において、蓄積状況を検知し、蓄積済であるグループの再送時間帯は電源をオフするようにする。
これにより、蓄積漏れを防止しながら、バッテリー消費を抑えることが可能である。
また、バッテリー残量が少ない場合に、蓄積を停止あるいは警告を出すことが可能である。
＜実施例２＞
上記実施の形態においては、伝送容量（帯域）の消費を少なくした情報蓄積型の放送サービスを提供するために、特定の時間帯の再送回数を下げるあるいは誤り訂正符号の符号化率を上げる（訂正符号の弱い）こととして説明した。従って夜時間帯では、放送電波の供給が可能なジャケット（付属装置）に挿しておく等、他の時間帯よりも受信エラーを少なくする必要がある。
【００７５】
これを改善する一例を以下に示す。
この実施の形態は、例えば、上記放送受信装置（コンテンツ受信機器）３４に適用される。
ここでは、放送受信装置（コンテンツ受信機器）３４は、さらに再送回数あるいは誤り訂正符号の符号化率を抑えた時間帯を検知する手段を備える。
また、受信エラー（受信感度）を検知する手段を備える。
そして、受信エラーが多い場合に、警告をする手段を備える。
これにより、再送回数を下げたあるいは誤り訂正符号の符号化率を上げた（訂正符号の弱い）時間帯において、警告があった場合には、ユーザは受信機を放送電波の供給が可能なジャケット（付属装置）に挿すことで、番組の蓄積漏れの防止や情報の欠陥なく記録が可能となる。
【００７６】
尚、当該警告は、音や光等でユーザに行うこととする。
あるいは、受信エラー（受信感度）を検知する手段の代わりに、放送電波の供給が可能なジャケット（付属装置）への挿入の検知手段を有し、挿入の有無を検知することも可能である。
【００７７】
また、再送回数あるいは誤り訂正符号の符号化率を抑えた時間帯であるかどうかは、放送受信装置（コンテンツ受信機器）３４が実際の放送信号を観測し、検知してもよいが、再送回数あるいは誤り訂正符号の符号化率を抑えた時間帯であるかどうかを示す情報を新たに情報として設定し、放送局側から提供し、放送受信装置（コンテンツ受信機器）３４で検知しても良い。
【００７８】
尚、その情報は２値であっても良いし、再送回数あるいは誤り訂正符号の符号化率を３状態以上に分けて運用する場合には、３値以上の情報を送るようにしてもよい。
これらの情報は、例えばSI/PSIを使用した番組表の情報の一部として放送信号で受信機に配信されても良いし、あるいはメタデータを利用した番組表の情報の一部として放送信号もしくはネットワークを使用して、サーバから受信機に配信されても良いものとする。
【００７９】
＜実施例３＞
上記実施の形態においては、特定の時間帯の再送回数を上げるあるいは誤り訂正符号の符号化率を下げる（訂正符号を強く）こととした。
従って当該時間帯では、番組を正常に受信できた場合には、それ以上の受信を必要としない。このため、番組の受信が必要ない状態においてもデータ受信を継続すると、電力を無駄に消費してしまう可能性がある。この問題を改善するための一例を以下に示す。
【００８０】
ここでは、放送受信装置（コンテンツ受信機器）３４は、再送回数あるいは誤り訂正符号の符号化率を下げた時間帯を検知する手段を備える。
また、伝送を予定された番組郡の受信完了を検知する手段を備える。
また、番組郡の受信を完了した場合（既に蓄積済である場合）に、当該再送時間帯は電源をオフする手段を備える。
これにより、蓄積漏れを防止しながら、バッテリー消費を抑えることが可能となる。
なお複数の伝送チャンネルのコンテンツを受信する場合には、例えば、伝送チャンネル毎に、上記動作を実施すれば良い。
さらに、バッテリーが少ない場合には、データ蓄積を停止するかあるいはバッテリーが少ない残量が少ない旨の警告を出してもよい。
上記のように構成することによって、この実施の形態においては、情報蓄積型の放送サービスにおいて、記録した情報の欠陥を低減する一方で、伝送容量（帯域）の消費を少なくした情報蓄積型の放送サービスを提供することが可能となる。
【００８１】
なお、上記実施形態は、記述そのものに限定されるものではなく、実施段階では、その趣旨を逸脱しない範囲で、構成要素を種々変形して具体化することが可能である。
【符号の説明】
【００８２】
１１…放送送信装置（コンテンツ送信機器）、１２…入力端子、１３…ＭＰＥＧエンコーダ、１５…ＴＳ化処理部、１６…暗号化処理部、１７…ＴＳ多重化部、１８…入力端子、１９…暗号化処理部、２０…コンテンツ処理部、２１…ＴＳ化処理部、２２…ＥＰＧデータ生成部、２３…ＴＳ化処理部、２４…伝送路符号化部、２５…出力端子、２６…アンテナ、２７…出力端子、２８…ネットワークサーバ（放送補完サーバ）、２９…入力端子、３０…コンテンツ記録機器（ＨＤＤ）、３０ａ…ハードディスク、３１…ネットワークインターフェース、３２…入出力端子、３３…ネットワーク、３４…放送受信装置（コンテンツ受信機器）、３５…アンテナ、３６…入力端子、３７…選局復調部、３８…ＴＳ分離部、３９…復号化処理部、４０…ＰＥＳ／セクション分離部、４１…ＭＰＥＧデコーダ、４２…選択多重化部、４３…番組表作成部、４４…コンテンツ復号化部、４５…ＨＤＤ、４５ａ…ハードディスクに記録（蓄積）、４６…復号化処理部、４７…デコーダ、４８…映像表示部、４９…スピーカ、５０…制御部、５０ａ…ＣＰＵ、５０ｂ…メモリ部、５１…操作部、５２…通信制御部、５３…ネットワークインターフェース、５４…入出力端子。
【図１】
2011244268.tif 000003
【図２】
2011244268.tif 000004
【図３】
2011244268.tif 000005
【図４】
2011244268.tif 000006
【図５】
2011244268.tif 000007
【図６】
2011244268.tif 000008